(57)【要約】【課題】本発明は、畦にフィルムロールを確実に敷設固定して所望の効果を達成可能な畦用マルチ被覆装置を提供することを目的とする。【解決手段】マルチフィルムを巻いたフィルムロール（４６）を推進機体（２）の進行方向とは直交する方向で且つ傾斜した姿勢で当該機体（２）の後部に設置し、このフィルムロール（４６）の両端のうち高い方の上端を推進機体（２）より側方に突出すると共に、低い方の下端を推進機体（２）の中央付近に位置させる。そして、このフィルムロール（４６）の後方には、畦の裾部を移動する低位車輪（４４）と畦の頂面を移動する高位車輪（４５）をそれぞれ設けて、両車輪でフィルムロール（４６）より繰り出たマルチフィルムを上から踏圧するようになし、さらにフィルムロール（４６）の下端の前方かつ下方に位置して溝切器（４１）を設けると共に、フィルムロール（４６）の下端の後方には土掛けディスク（４３）を配備する。【選択図】図１
2008048631.tif 000002
【特許請求の範囲】
【請求項１】
マルチフィルムを巻いたフィルムロールを推進機体の進行方向とは直交する方向で且つ傾斜した姿勢で当該機体の後部に設置し、このフィルムロールの両端のうち高い方の上端を推進機体より側方に突出すると共に、低い方の下端を推進機体の中央付近に位置させ、
そしてフィルムロールの後方には、畦の裾部を移動する低位車輪と畦の頂面を移動する高位車輪をそれぞれ設けて、両車輪でフィルムロールより繰り出たマルチフィルムを上から踏圧するようになし、
さらにフィルムロールの下端の前方かつ下方に位置して溝切器を設けると共に、フィルムロールの下端の後方には土掛けディスクを配備してなる畦用マルチ被覆装置。
【請求項２】
前記推進機体の駆動輪とフィルムロールの中間に耕耘部を設け、この耕耘部の畦寄りに土壌を膨軟にする棒爪を配すると共に、耕耘部の畦と反対側には土壌を中央に寄せる畝立て爪を配してなる請求項１記載の畦用マルチ被覆装置。
【請求項３】
前記高位車輪の車軸を圃場側よりも畦側を高く傾斜して取り付けたことを特徴とする請求項１記載の畦用マルチ被覆装置。
【発明の詳細な説明】
【技術分野】
【０００１】
本発明は、畦にマルチフィルムを敷設するための畦用マルチ被覆装置に関する。
【背景技術】
【０００２】
水田の畦の法面（傾斜面）にマルチフィルムを張ると、雑草の生育を妨げ、水漏れや畦の崩壊を防止して、水田の水量や水温を適正に保つことができる。
このような畦のマルチ掛けは、平坦な圃場の畝にマルチを掛けるのと違って、フィルムの両側縁の高さが左右異なるため確実に敷設するのが難しい。
従来のマルチ掛けは手作業が一般的で、機械化したものも手押し式程度である（特許文献１）。
【０００３】
手押し式では、労力の点で手作業と大差ないうえフィルムを確実に固定するのも困難で、水漏れ等の防止には不十分であった。
【特許文献１】実開昭６１−５０１１８号公報
【発明の開示】
【発明が解決しようとする課題】
【０００４】
解決しようとする問題点は、マルチフィルムの敷設作業に労力を要するうえにマルチフィルムの敷設状態が不十分であった点であり、本発明の目的は、マルチフィルムを確実に固定して所望の効果を達成できる畦用マルチ被覆装置を提供することにある。
【課題を解決するための手段】
【０００５】
上記課題を解決するために、請求項１記載の発明では、マルチフィルムを巻いたフィルムロールを推進機体の進行方向とは直交する方向で且つ傾斜した姿勢で当該機体の後部に設置し、このフィルムロールの両端のうち高い方の上端を推進機体より側方に突出すると共に、低い方の下端を推進機体の中央付近に位置させ、そしてフィルムロールの後方には、畦の裾部を移動する低位車輪と畦の頂面を移動する高位車輪をそれぞれ設けて、両車輪でフィルムロールより繰り出たマルチフィルムを上から踏圧するようになし、さらにフィルムロールの下端の前方かつ下方に位置して溝切器を設けると共に、フィルムロールの下端の後方には土掛けディスクを配備する。
【０００６】
請求項２記載の発明では、前記推進機体の駆動輪とフィルムロールの中間に耕耘部を設け、この耕耘部の畦寄りに土壌を膨軟にする棒爪を配すると共に、耕耘部の畦と反対側には土壌を中央に寄せる畝立て爪を配する。
【０００７】
請求項３記載の発明では、前記高位車輪の車軸を圃場側よりも畦側を高く傾斜して取り付ける。
【発明の効果】
【０００８】
請求項１記載の発明では、推進機体の後部に進行方向と直行する方向に傾斜して設置したフィルムロールの上端を推進機体より側方に突出すると共に、下端を推進機体の中央付近に位置させ、このフィルムロールの後方に畦の裾部を移動する低位車輪と畦の頂面を移動する高位車輪とを設けて、両車輪によりフィルムロールから繰り出たマルチフィルムを上から踏圧することにより、畦の法面に沿ってマルチフィルムを均一に引き出し、さらに、フィルムロールの下端の前方かつ下方に位置して溝切器を設けると共にフィルムロールの下端の後方に配備した土掛けディスクにより、マルチフィルムの下端を畦の裾部の深い位置に引き出しつつ、溝を埋めるように土をかけることでマルチフィルムの下端を確実に固定し、水漏れの防止や雑草の生育抑制などの所望の効果を得ることができる。
【０００９】
請求項２記載の発明では、前記推進機体の駆動輪とフィルムロールの中間に耕耘部を設け、この耕耘部の畦寄りに土壌を膨軟にする棒爪を配すると共に、耕耘部の畦と反対側には土壌を中央に寄せる畝立て爪を配したことにより、土壌が膨軟になり溝切器によって容易に深い溝を形成してマルチフィルムの下端を深い位置に張ることができると共に、土掛けディスクによって中央に寄せられた土壌で溝を埋めてマルチフィルムの下端に充分な量の土壌を掛け確実に固定することができる。
【００１０】
請求項３記載の発明では、高位車輪の車軸を圃場側よりも畦側を高く傾斜して取り付けたことにより、畦の頂面よりも高い位置にあるフィルムロールの上端からマルチフィルムを確実に引き出しつつ畦の頂面によれることなく張っていき、マルチフィルムを畦の裾部から頂面を覆うように確実に敷設することができる。
【発明を実施するための最良の形態】
【００１１】
以下、本発明に係る畦用マルチ被覆装置について、図１乃至図３を参照して詳細に説明する。
図１は、本発明に係る畦用マルチ被覆装置の側面図である。図２は畦用マルチ被覆装置の構成の概略を示した平面概略図であり、図３は畦用マルチ被覆装置の背面概略図である。
【００１２】
畦用マルチ被覆装置１は、エンジン２０を搭載する推進機体２と、畦の裾部を耕耘する耕耘部３と、畦面に張るフィルムロール４６を備えたシート張り部４とを側面視左方から順に配置して構成する。
【００１３】
推進機体２は、エンジン２０と、ミッションケース２１と、このエンジン２０によって駆動される左右一対の駆動輪２２、２２と、畦用マルチ被覆装置１を操向するハンドル２３と、エンジン２０の動力を耕耘部３に伝達するドライブケース２４とにより構成し、エンジン２０の動力は、ミッションケース２１を介して駆動輪２２、２２に伝達されると共に、推進機体２から前方に張り出したドライブケース２４を介して耕耘部３に伝達する。
【００１４】
耕耘部３は、推進機体２の中央から張り出したセンタードライブ型のドライブケース２４の前部から左右に延出した耕耘軸３０と、耕耘軸３０に取り付けられる耕耘爪３１と、これらの上方を覆うメインカバー３２とにより構成する。
【００１５】
図２に示すように、左右の耕耘軸３０Ｒ、３０Ｌには、それぞれ異なる耕耘爪を取り付ける。図例では、図面右方の畦に近い側の耕耘軸３０Ｒには土壌を膨軟にするための棒爪３１０を取り付け、図面左方の畦から遠い側の耕耘軸３０Ｌの軸端には螺旋状の畝立て爪３１１を取り付けている。これにより、棒爪３１０で畦の裾部を深く耕耘し、土壌を膨軟にして溝切りを行いやすくすると共に、畝立て爪３１１によって圃場側から畦寄りの位置に土を集める。
【００１６】
シート張り部４は、耕耘部３に設けられた支持杆４０と、支持杆４０の下端に取り付けられた溝切器４１と、溝切器４１から畦側に傾けて取り付けられた支軸４２と、支持杆４０より後方に延出されたフレーム５、及び、このフレーム５に取り付けられる土掛けディスク４３、低位車輪４４並びに高位車輪４５とにより構成する。
【００１７】
支持杆４０は、耕耘部３の後端部に上下向きに取り付けると共に上下に摺動自在かつ任意の位置で固定可能に構成して上下位置調節可能とする。支持杆４０の下端には溝切器４１を取り付け、支持杆４０を上下に摺動して溝切器４１の上下位置を変えることにより溝切器４１による溝切深さを調節する。
【００１８】
溝切器４１は二枚の溝切板により形成し、図２及び図３に示すように、畦用マルチ被覆装置１の中心から畦側に寄った位置に配置する。支軸４２は、溝切器４１の一方の溝切板から畦の法面に沿うように畦側に傾けて取り付ける。そして、マルチフィルムをロール状に巻いたフィルムロール４６をこの支軸４２で軸支すると共にフィルムロール４６の下端は溝切器４１に当接し、上端は畦用マルチ被覆装置１から側方に突出させて、フィルムロール４６が畦の法面に沿う方向で且つ推進機体２の進行方向とほぼ直行する方向に傾斜した状態で保持する。
【００１９】
フレーム５は、長尺の杆部とこの杆部が挿通される筒部とを略Ｌ字型に連結して形成した第１乃至第５フレーム５１〜５５、及び杆部のみからなる第６フレーム５６、第７フレーム５７により形成されている。
【００２０】
第１フレーム５１は、支持杆４０の途中から後方に延伸された杆部の先端部に左右向きの二つの筒部を取り付けて形成される。
【００２１】
一方の筒部には第２フレーム５２を挿通し、第２フレームの筒部は圃場側（図２において左側）に上下向きに配置する。そして、これに第６フレーム５６を挿通して、この第６フレーム５６の下端に土掛けディスク４３を取り付ける。土掛けディスク４３は、溝切器４１の後方で圃場寄りの位置に配置し、畦用マルチ被覆装置１の進行方向に対して後部を畦側に傾けた状態で取り付けておく。
【００２２】
第１フレーム５１の他方の筒部には第３フレーム５３を挿通し、第３フレームの筒部に第４フレーム５４を上下向きに挿通する。そして、第４フレーム５４の下端には畦の裾部を転動する低位車輪４４を取り付ける。低位車輪４４は、フィルムロール４６の下端の後方で、土掛けディスク４３よりも前方か、又は土掛けディスク４３と前後方向略同位置に配置する。
【００２３】
第４フレーム５４には、第５フレーム５５を左右向きに取り付ける。そして、第５フレームには上下向きに第７フレーム５７を挿通して、第７フレーム５７の下端に畦の頂面を転動する高位車輪４５を取り付ける。高位車輪４５は、フィルムロール４６の上端の後方で低位車輪４６と前後方向略同位置に配置する。
【００２４】
次に、畦用マルチ被覆装置１の使用態様について説明する。
まず、支持杆４０や第１乃至第７フレーム５１〜５７をそれぞれ上下又は左右に摺動させて適切な位置で固定し、作業を行う圃場と畦に合うように溝切器４１、土掛けディスク４３及び両車輪４４、４５のそれぞれの上下位置及び左右位置を調節する。
【００２５】
フレーム５の調整により、溝切器４１は、耕耘部３の棒爪３１０の後方に配置して畦の裾部に溝を形成するようにし、土掛けディスク４３を溝切器４１の後方で畦より遠い側に配置して、耕耘部３の畝立て爪３１１によって畦側に寄せた土を溝に落とすようにする。
また、低位車輪４４は、溝切器４１により形成した溝の上を移動させ、高位車輪４５は、畦の頂面を移動させる。
【００２６】
次に、フィルムロール４６を支軸４２に取り付けて下端を溝切器４１で保持し、マルチフィルムの端縁を引き出してその下端縁側を低位車輪４４の下に入れて押え、上端縁側を高位車輪４５の下に入れて押える。
【００２７】
マルチフィルムの敷設作業を行うときは、作業者はハンドル２３をもって後方（図１において右方向）を向き、畦側の駆動輪２２が畦の裾部に沿って走行するように確認しながら、前方（図１において左方向）に向かって畦用マルチ被覆装置１を進行させる。
【００２８】
畦用マルチ被覆装置１を前方に進行させると、耕耘部３の棒爪３１０によって畦の裾部の土が掘り起こされて膨軟になると共に、膨軟になった土壌を溝切器４１によって押し分けることで畦の裾部に沿って溝が形成される。
【００２９】
また、畦用マルチ被覆装置１の進行に伴って、上下端縁を両車輪４４、４５で踏圧されたフィルムロール４６は支軸４２周りに回転してマルチフィルムが順次繰り出されていき、溝切器４１によって形成された溝から畦の法面に沿って畦の頂面までを覆うように敷設されていく。
【００３０】
さらに、耕耘部３の畝立て爪３１１によって土を掘り起こすと共に圃場側から畦寄りに土を集め、これらの土や溝切器４１によって押し分けられた土を土掛けディスク４３によって溝に落とし、溝を埋めつつマルチフィルムの下端縁に土をかけて固定していく。マルチフィルムの上端側は、随時、マルチフィルムの上に土を盛るなどして固定する。
【００３１】
上記のごとく構成した畦用マルチ被覆装置は、以下の効果を奏する。
本発明に係る畦用マルチ被覆装置は、畦の裾部を耕耘すると共に畦に沿って配置した溝切器によって畦の裾部に沿う溝を形成しロール状のフィルムロールを畦の法面に沿って傾けると共にその下端を溝切器で保持したことにより、畦の裾部に深い溝を形成し、畦の裾部から頂面にわたって張ったマルチフィルムを法面に沿って敷設していくと共に、低位車輪によりフィルムロールの下端縁を溝の深い位置へ引き出しつつ、土掛けディスクにより溝を埋めてマルチフィルムの下端を畦裾の深い位置で確実に固定することができ、畦の法面や頂面の草の繁茂や畦の下部からの水漏れ等を防止して所望の効果を得ることができる。
【００３２】
次に、畦用マルチ被覆装置の別の実施形態について説明する。図４は、別の実施形態に係る畦用マルチ被覆装置の背面概略図である。
【００３３】
本実施形態においては、シート張り部４の第７フレームを折曲げており、畦の頂面を転動する高位車輪４５の車軸が圃場側（図４中左側）よりも畦側（図４中右側）を高く傾いている。
【００３４】
上記のごとく、高位車輪の車軸を、圃場側よりも畦側を高く傾けたことにより、畦の頂面よりも高い位置にあるフィルムロールの上端縁を確実に引き出し、畦方向に引張りながら踏圧することができ、フィルムロールを畦の法面に隙間なく張ることができる。
【図面の簡単な説明】
【００３５】
【図１】本発明に係る畦用マルチ被覆装置の側面図
【図２】畦用マルチ被覆装置の構成を示す平面概略図
【図３】畦用マルチ被覆装置の構成を示す背面概略図
【図４】別の実施形態の畦用マルチ被覆装置の構成を示す背面概略図
【符号の説明】
【００３６】
１      畦用マルチ被覆装置
２      推進機体
２０    エンジン
２１    ミッションケース
２２    駆動輪
２３    ハンドル
２４    ドライブケース
３      耕耘部
３０    耕耘軸
３１    耕耘爪
３１０  棒爪
３１１  畝立て爪
３２    メインカバー
４      シート張り部
４０    支持杆
４１    溝切器
４２    支軸
４３    土掛けディスク
４４    低位車輪
４５    高位車輪
４６    フィルムロール
５      フレーム
【図１】
2008048631.tif 000003
【図２】
2008048631.tif 000004
【図３】
2008048631.tif 000005
【図４】
2008048631.tif 000006